(57)【要約】      （修正有）【課題】使用者に混乱をもたらすことがなく、使用に便利な、ファイブインワンメモリカードコネクタの端子装置の提供。【解決手段】本体に第１スロットと第２スロットが設けられ、第１スロット中段部分にＳＤ、ＭＭＣ、ＲＳＭＭＣメモリカードとコネクタの回路を接続する第１組接続端子が設けられ、該第１スロットの深い位置にｍｉｎｉＳＤメモリカードとコネクタの回路を接続する第２組接続端子が設けられ、別に第２スロットにＴＦメモリカードとコネクタの回路を接続する第３組接続端子が設けられ、ＳＤ、ＭＭＣ、ＲＳＭＭＣ、ｍｉｎｉＳＤ、ＴＦメモリカードの挿入に供され並びに電気装置と電気回路の接続を構成するメモリカードコネクタの端子装置である。【選択図】図２
0003110943.tif 000002
【実用新案登録請求の範囲】
【請求項１】
本体に第１スロットと第２スロットが設けられ、ＳＤ、ＭＭＣ、ＲＳＭＭＣ、ｍｉｎｉＳＤ及びＴＦメモリカードの挿入、位置決めに供されるファイブインワンメモリカードコネクタの端子装置において、
第１スロット中段部分にＳＤ、ＭＭＣ、ＲＳＭＭＣメモリカードとコネクタの電気回路の接続に供される第１組接続端子が設けられ、該第１スロットの深い位置に進入するようにｍｉｎｉＳＤメモリカードとコネクタの回路を接続する第２組接続端子が設けられ、第２スロットにＴＦメモリカードとコネクタの回路を接続する第３組接続端子が設けられたことを特徴とする、ファイブインワンメモリカードコネクタの端子装置。
【請求項２】
請求項１記載のファイブインワンメモリカードコネクタの端子装置において、第１スロット内の第１組接続端子と第２組接続端子、及び第２スロット内の第３組接続端子がいずれもその対応するスロット内の下方に位置することを特徴とする、ファイブインワンメモリカードコネクタの端子装置。
【請求項３】
請求項１記載のファイブインワンメモリカードコネクタの端子装置において、第１スロットと第２スロットが重畳するように本体の前側に配置されたことを特徴とする、ファイブインワンメモリカードコネクタの端子装置。
【請求項４】
請求項２記載のファイブインワンメモリカードコネクタの端子装置において、第１組接続端子が本体の後側に設置されて第１スロットの中段部分まで延伸され、第２組接続端子は本体の後側に設けられて第１スロットの深い部分まで延伸され、第３組接続端子は本体前側に設けられて第２スロット内に向けて延伸されたことを特徴とする、ファイブインワンメモリカードコネクタの端子装置。
【請求項５】
請求項１記載のファイブインワンメモリカードコネクタの端子装置において、第１スロット内部にＳＤ、ＭＭＣ、ＲＳＭＭＣメモリカードを位置決めする第１位置決め部とＳＤ、ＭＭＣ、ＲＳＭＭＣメモリカードが定位まで挿入されたかを検出する第１検出弾性片が設けられると共に、ｍｉｎｉＳＤメモリカードの位置決めする第２位置決め部とｍｉｎｉＳＤメモリカードが定位まで挿入されたかを検出する第２検出弾性片が設けられ、第２スロット内部にＴＦメモリカードを位置決めする第３位置決め部とＴＦメモリカードが定位まで挿入されたかを検出する第３検出弾性片が設けられたことを特徴とする、ファイブインワンメモリカードコネクタの端子装置。
【考案の詳細な説明】
【技術分野】
【０００１】
本考案はメモリカードワンコネクタの端子装置に係り、特に、ＳＤ、ＭＭＣ、ＲＳＭＭＣ、ｍｉｎｉＳＤ、ＴＦメモリカードと電気装置と電気回路の接続を形成するファイブインワンメモリカードコネクタの端子装置に関する。
【背景技術】
【０００２】
メモリカード（或いはフラッシュメモリカードと称される）形式の保存媒体は、軽量で薄型でコンパクトであり、保存容量が高く、耐震で、重複記憶可能の優れた特性により、情報家電、パーソナルコンピュータ、或いは携帯式デジタル製品（以下に電気装置と総称する）に広く運用されている。
【０００３】
また、一般にメモリカードを保存媒体とする電気装置、例えばデジタルカメラ、ＰＤＡ、携帯型デジタルプレイヤー等は、基本的に特定のメモリカードをデータ保存媒体としており、現在よく目にされるメモリカード形式には、ＣＦ（ＣｏｍｐａｃｔＦｌａｓｈ（登録商標））、ＳＭ（Ｓｍａｒｔ  Ｍｅｄｉａ（登録商標））、ＭＳ（Ｍｅｍｏｒｙ  Ｓｔｉｃｋ）、ＳＤ（ＳｅｃｕｒｅＤｉｇｉｔａｌ）、ＭＭＣ（ＭｕｌｔｉＭｅｄｉａ  Ｃａｒｄ）、ＲＳＭＭＣ（Ｒｅｄｕｃｅｄ  Ｓｉｚｅ  ＭｕｌｔｉＭｅｄｉａ  Ｃａｒｄ）等がある。更に市場には携帯電話専用に開発された比較的小型のｍｉｎｉＳＤ、ＴＦ（ＴｒａｎｓＣｌａｓｈ）メモリカードがある。
【０００４】
大消費グループに対して、メモリカードが携帯式デジタル製品とコンピュータシステム、コンピュータ周辺機器等電気装置との間で有効な流通が達成できず、消費者の商品選択上の制限を形成することもある。このため、一部のメモリカードメーカーは既存のメモリカード規格と相容するがサイズがやや小さいメモリカードを開発し、体積が比較的小さい携帯式デジタル電気装置に使用可能としており、それには、例えばＳＤ、ＭＭＣは外形サイズが同じメモリカードであり、ＲＳＭＭＣメモリカードのチップ、回路規格（伝送協定）はＭＭＣメモリカードと同じであるが、外形サイズはＭＭＣメモリカードより小さく、同様にｍｉｎｉＳＤメモリカードのチップ、回路規格（伝送協定）はＳＤメモリカードと同じであるが、外形サイズはＳＤメモリカードより小さい。
【０００５】
ＲＳＭＭＣ、ｍｉｎｉＳＤメモリカードの外形は前述のＭＭＣ、ＳＤの二種類のメモリカードとやや異なり、これにより現在既存の技術には、ＳＤ、ＭＭＣ、ＲＳＭＭＣ、ｍｉｎｉＳＤの４種類のメモリカードに共用できるマルチメモリカードコネクタがある。しかし、ＴＦメモリカードも挿入できるコネクタは未だなく、ＴＦメモリカードの推奨には相容性の条件が依然として存在する。
【０００６】
さらに、マルチメモリカードコネクタの本体は確実にその対応するメモリカードを位置決めできるスロット（或いは関係する位置決め構造）を具備していなければならず、特に良好な端子構造設計を具えていなければ、その対応するメモリカードと電気装置の間の電気回路の接続を形成することができない。
【０００７】
市場には多種類のメモリカードを挿入できる各種のマルチメモリカードコネクタがあるが、端子構造設計の問題に制限されて、メモリカードをコネクタに挿入する時、多くは非同一方向とされる。即ち、いくつかのメモリカードはメモリカードの端子を下向きとした正面で挿入され、あるメモリカードはメモリカード端子が上向きとして挿入される。このため消費者の混乱を招きやすく、カード挿入時に方向が正しいかを確認しなければならず、使用上、相当に不便である。
【考案の開示】
【考案が解決しようとする課題】
【０００８】
本考案はファイブインワンメモリカードコネクタの端子装置を提供することを目的とし、それは、コネクタの本体に、ＳＤ、ＭＭＣ、ＲＳＭＭＣ、ｍｉｎｉＳＤメモリカードを挿入、位置決めできる第１スロットと、ＴＦメモリカードを挿入位置決めできる第２スロットが設けられ、更に第１スロットの中段部分に第１組接続端子が設けられてＳＤ、ＭＭＣ、ＲＳＭＭＣメモリカードとコネクタの回路の接続に供され、第１スロットの深い位置に第２組接続端子が設けられてｍｉｎｉＳＤメモリカードとコネクタの回路の接続に供され、第２スロットに第３組接続端子が設けられてＴＦメモリカードとコネクタの回路の接続に供される。こうして、本考案はＳＤ、ＭＭＣ、ＲＳＭＭＣ、ｍｉｎｉＳＤ、ＴＦメモリカードの挿入に供され、並びに電気回路と回路の接続を構成するメモリカードコネクタとされる。
【課題を解決するための手段】
【０００９】
請求項１の考案は、本体に第１スロットと第２スロットが設けられ、ＳＤ、ＭＭＣ、ＲＳＭＭＣ、ｍｉｎｉＳＤ及びＴＦメモリカードの挿入、位置決めに供されるファイブインワンメモリカードコネクタの端子装置において、
第１スロット中段部分にＳＤ、ＭＭＣ、ＲＳＭＭＣメモリカードとコネクタの電気回路の接続に供される第１組接続端子が設けられ、該第１スロットの深い位置に進入するようにｍｉｎｉＳＤメモリカードとコネクタの回路を接続する第２組接続端子が設けられ、第２スロットにＴＦメモリカードとコネクタの回路を接続する第３組接続端子が設けられたことを特徴とする、ファイブインワンメモリカードコネクタの端子装置としている。
請求項２の考案は、請求項１記載のファイブインワンメモリカードコネクタの端子装置において、第１スロット内の第１組接続端子と第２組接続端子、及び第２スロット内の第３組接続端子がいずれもその対応するスロット内の下方に位置することを特徴とする、ファイブインワンメモリカードコネクタの端子装置としている。
請求項３の考案は、請求項１記載のファイブインワンメモリカードコネクタの端子装置において、第１スロットと第２スロットが重畳するように本体の前側に配置されたことを特徴とする、ファイブインワンメモリカードコネクタの端子装置としている。
請求項４の考案は、請求項２記載のファイブインワンメモリカードコネクタの端子装置において、第１組接続端子が本体の後側に設置されて第１スロットの中段部分まで延伸され、第２組接続端子は本体の後側に設けられて第１スロットの深い部分まで延伸され、第３組接続端子は本体前側に設けられて第２スロット内に向けて延伸されたことを特徴とする、ファイブインワンメモリカードコネクタの端子装置としている。
請求項５の考案は、請求項１記載のファイブインワンメモリカードコネクタの端子装置において、第１スロット内部にＳＤ、ＭＭＣ、ＲＳＭＭＣメモリカードを位置決めする第１位置決め部とＳＤ、ＭＭＣ、ＲＳＭＭＣメモリカードが定位まで挿入されたかを検出する第１検出弾性片が設けられると共に、ｍｉｎｉＳＤメモリカードの位置決めする第２位置決め部とｍｉｎｉＳＤメモリカードが定位まで挿入されたかを検出する第２検出弾性片が設けられ、第２スロット内部にＴＦメモリカードを位置決めする第３位置決め部とＴＦメモリカードが定位まで挿入されたかを検出する第３検出弾性片が設けられたことを特徴とする、ファイブインワンメモリカードコネクタの端子装置としている。
【考案の効果】
【００１０】
本考案は、第１スロット内の第１、２組接続端子、及び第２スロット内の第３組接続端子は、それぞれその対応するスロット内の下方に位置し、こうしてＳＤ、ＭＭＣ、ＲＳＭＭＣ、ｍｉｎｉＳＤ、ＴＦメモリカードが挿入される時、いずれもメモリカード端子が下向きとされた同一方向に挿入されて各接続端子と回路の接続を構成し、これにより使用者に混乱をもたらすことがなく、使用に便利な目的を達成する。
【考案を実施するための最良の形態】
【００１１】
本考案のファイブインワンメモリカードコネクタの端子装置は、全体の基本構造組成が図１のようであり、そのうち、コネクタ１０は、カートリッジ状を呈する本体１１を具え、本体１１にＳＤ、ＭＭＣ、ＲＳＭＭＣ、ｍｉｎｉＳＤメモリカードの挿入、位置決めに供される第１スロット１２、及びＴＦメモリカードの挿入、位置決めに供される第２スロット１３が設けられ、並びに第１スロット１２、第２スロット１３中に対応するメモリカードと電気回路の接続に供される複数の接続端子が配設されている。
【００１２】
第１スロット１２、第２スロット１３は重なるように本体１１の前側に配置される。図２から図５も参照されたい。本体１１の後側に第１スロット１２中段部分に延伸された第１組接続端子１４１が設けられてＳＤ、ＭＭＣ、ＲＳＭＭＣメモリカードとコネクタ１０の電気回路の接続に供される。第１スロット１２の深い部分に延伸されるように第２組接続端子１４２が設けられ、ｍｉｎｉＳＤメモリカードとコネクタ１０の電気回路の接続に供される。このほか、本体１１の前側に第２スロット１３に延伸され進入する第３組接続端子１４３が設けられ、ＴＦメモリカードとコネクタ１０の電気回路の接続に供される。こうしてＳＤ、ＭＭＣ、ＲＳＭＭＣ、ｍｉｎｉＳＤ、ＴＦメモリカードの挿入に供され、並びに電気装置と電気回路の接続を形成するメモリカードコネクタが構成される。
【００１３】
本考案のファイブインワンメモリカードコネクタは、ＳＤ、ＭＭＣ、ＲＳＭＭＣ、ｍｉｎｉＳＤ、ＴＦメモリカードと電気装置の電気回路の接続を形成する。これにより、全体のコネクタ１０が第１スロット１２の内部にＳＤ、ＭＭＣ、ＲＳＭＭＣメモリカードを位置決めする第１位置決め部１２１、及びＳＤ、ＭＭＣ、ＲＳＭＭＣメモリカードが定位まで挿入されたかを検出する第１検出弾性片１２２が設置される。ＳＤ、ＭＭＣ、ＲＳＭＭＣメモリカードが定位まで挿入された時、第１検出弾性片１２２と電気回路が接続され、これにより電子信号の伝送動作が起動され、誤動作が防止される。
【００１４】
同様に、第１スロット１２内の深いところに、ｍｉｎｉＳＤメモリカードを位置決めする第２位置決め部１２３、及びｍｉｎｉＳＤメモリカードが定位に挿入されたかを検出する第２検出弾性片１２４が設けられている。また第２スロット１３中にはＴＦメモリカードを位置決めする第３位置決め部１３１、及びＴＦメモリカードが定位に挿入されたかを検出する第３検出弾性片１３２が設けられている。
【００１５】
ゆえに、ＳＤ、ＭＭＣ、ＲＳＭＭＣ、ｍｉｎｉＳＤ及びＴＦメモリカードの挿入に供され、並びに電気装置と確実な電気回路の接続を形成するファイブインワンメモリカードコネクタが構成される。実施時には、直接電気装置の電気回路にビルトイン可能であるほか、電気装置に外接使用されるカードリーダーとされ得て、大幅に電気装置とＳＤ、ＭＭＣ、ＲＳＭＭＣ、ｍｉｎｉＳＤ、ＴＦメモリカードの保存媒体としての接続の適用性を増し利用に便利とし、これにより全体の電気装置の付加機能を高める。
【００１６】
このほか、注意すべきことは、前述の第１スロット１２内の第１組接続端子１４１、第２組接続端子１４２及び第２スロット１３内の第３組接続端子１４３はそれぞれその対応するスロット内の下方に位置し、これによりＳＤ、ＭＭＣ、ＲＳＭＭＣ、ｍｉｎｉＳＤ、及びＴＦメモリカードがスロットに挿入されるとき、いずれもメモリカード端子が下向きの方向で挿入されて各接続端子の回路と接続され、こうして使用者が混乱を生じることがなく、使用に便利な目的が達成される。
【００１７】
以上述べたように、本考案は一種のＳＤ、ＭＭＣ、ＲＳＭＭＣ、ｍｉｎｉＳＤ、ＴＦメモリカードと電気装置の電気回路の接続を形成するファイブインワンメモリカードコネクタの端子装置を提供する。なお、以上の実施例は本考案の実施範囲を限定するものではなく、本考案に基づきなしうる細部の修飾或いは改変は、いずれも本考案の請求範囲に属するものとする。
【図面の簡単な説明】
【００１８】
【図１】本考案によるファイブインワンメモリカードコネクタの外観立体図である。
【図２】本考案によるファイブインワンメモリカードコネクタの正面立体断面図である。
【図３】本考案によるファイブインワンメモリカードコネクタの背面立体断面図である。
【図４】本考案によるファイブインワンメモリカードコネクタの平面図である。
【図５】本考案によるファイブインワンメモリカードコネクタの底面図である。
【符号の説明】
【００１９】
１０  コネクタ            １３  第２スロット
１１  本体                １３１  第３位置決め部
１２  第１スロット        １３２  第３検出弾性片
１２１  第１位置決め部    １４１  第１組接続端子
１２２  第１検出弾性片    １４２  第２組接続端子
１２３  第２位置決め部    １４３  第３組接続端子
１２４  第２検出弾性片
【図１】
0003110943.tif 000003
【図２】
0003110943.tif 000004
【図３】
0003110943.tif 000005
【図４】
0003110943.tif 000006
【図５】
0003110943.tif 000007